【手続補正書】
【提出日】平成15年6月3日(2003.6.3)
【手続補正１】
【補正対象書類名】明細書
【補正対象項目名】特許請求の範囲
【補正方法】変更
【補正の内容】
【特許請求の範囲】
【請求項１】
少なくとも六チャンネルの録音再生技術と、二つを聴取者の後方に、四つをその前方に配置した、少なくとも六個のラウドスピーカーを使用して、高さ、広さ、及び深さに関して、自然で、現実的な三次元サウンドイメージを録音及び再生するた方法において、
三次元サウンドイメージを録音するため、ミキシングデスク（１１）が想像の聴取者の上または前あるいは後ろに配置された、複数の非指向性マイク（９、１０）を備え、音響発生体の前にメインマイク（１２）を配置し、前記音響発生体の上に遠近マイク（１８）を配置すること、
データキャリアからの前記三次元サウンドイメージの再生のため、六個のラウドスピーカー（２、３、４、５、６、７）が、2＋2＋2の形態に配置すること、それによって、
二つのラウドスピーカー（４、５）が、聴取者の後ろに配置すること、
二つのメインラウドスピーカーが、聴取者の前に配置すること、そして、
二つのラウドスピーカー（６、７）を垂直に偏倚し、その音響放射方向を部屋の壁に対向して外へ向け、本質的にメインラウドスピーカー（２、３）に関して90°の角度にして、聴取者の前に配置すること、
を特徴とする方法。
【請求項２】
物理的に、二つのラウドスピーカー（６、７）が、上方向だけでなく、二つのメインラウドスピーカー（２、３）の側方にも偏倚することを特徴とする請求項１に記載の方法。
【請求項３】
データキャリアでの録音と、それからの再生は、少なくとも八個のチャンネルを使用して行われることを特徴とする請求項１または２に記載の方法。
【請求項４】
再生ユニットが、少なくとも八個のチャンネルと、ラウドスピーカーの2＋2＋2の形態とを具備し、それによって二つのメインラウドスピーカー（２、３）が、聴取者の前で左右に配置され、二つのラウドスピーカー（４、５）が、聴取者から後ろの左右に配置され、そして二つのラウドスピーカー（６、７）が、複数のメインラウドスピーカー（２、３）に対して垂直にずれて配置され、前記二つのラウドスピーカー（６、７）が、部屋の壁に対向して外へ向けて、本質的にメインラウドスピーカー（２、３）に関して角度が90°の、音響放射方向を有することを特徴とする請求項１〜３のいずれか一項に記載の方法を実行する設備。
【請求項５】
標準的な聴取位置を想定して、メインラウドスピーカーの上に配置された、二つの前方補助スピーカー（６、７）は、聴取位置と二つのメインラウドスピーカーとの間に、耳のレベル（ｏ）のベースの幅の半分の高さ（ｈ）で、正三角形に配置されることを特徴とする請求項１〜４のいずれか一項に記載の方法を実行する設備。
【請求項６】
複数の補助ラウドスピーカー（６または７）が、仮想位置（６´、７´）の側方に配置され且つ、反射室の壁がない聴取位置の方向に向けられることを特徴とする請求項４または５に記載の設備。
【請求項７】
録音ミキサーコンソール（１１）が、録音室の上で、想像の聴取者の前方と後方に配置された複数の非指向性マイク（９、１０）と、複数のサウンドジェネレータの前方に配置されたメインマイクと、音響発生体の領域の上に配置された複数の遠近マイク（１８）を備えること、を特徴とする音を録音するための請求項４〜６のいずれか一項に記載の設備。
【請求項８】
請求項１及び３による方法によって行われ、且つ請求項４〜７による設備によって、読み取り及び再生するのに適した録音記録を含むことを特徴とするデータキャリア。
【請求項９】
ＤＶＤであることを特徴とする請求項８に記載のデータキャリア。
【手続補正２】
【補正対象書類名】明細書
【補正対象項目名】発明の詳細な説明
【補正方法】変更
【補正の内容】
【発明の詳細な説明】
【０００１】
（技術分野）
本発明は、音、特に音楽を、少なくとも部分的にステレオ録音及び再生技術を使用して、録音及び再生する方法と、それに対応する設備に関するものである。
【０００２】
（背景技術）
国際特許明細書 95/35015による発明が、本発明に最も近い。ここでの方法及び機器は、音の録音及び再生ため既に明らかなもので、四つのマイクが垂直平面に位置する四方形のコーナーを画定するように配置されている。録音を再生するため、マイクの一つに合わせてラウドスピーカーの配置が必要である。それとは別に、二つの垂直平面における八個のマイクの形態と、ラウドスピーカーの対応した形態が提案される。
【０００３】
四個のマイクまたはラウドスピーカーの前記第一形態の各々により、オーディオイメージの録音及び再生が、左から右と上から下の方角だけに可能である。録音の両方の形態は固定、すなわちそれらの形態は、垂直平面を表現するもので、特定のチャンネルの再生を遅らせることによって、シュミレートしなければならない。数は、ラウドスピーカーの数に関連して固定されたものである。従って、区別された特定の楽器、または合唱隊のオーケストラの数パートを、再生チャンネルのように、より多くの録音チャンネルで、録音することを可能にするか、それを提供する。
【０００４】
（発明の開示）
これは本発明の出発点であり、その目的は、特に音楽再生に関して、自然な感じにできるだけ近づけた、三次元サウンド再現を可能にすることである。
【０００５】
本発明はこの目的を、少なくとも2＋2＋2録音及び再生技術を採用したタイプの方法によって、達成し、それによって対応した多数のチャンネルを利用して、自然な音、リアルな三次元サウンドイメージを、左から右へ、前から後ろへ、そして上から下へ、創り出す。
【０００６】
本発明は、例えばオーケーストラ内の単独の声、独唱者、歌手などを高度な識別フォームで、自然なサウンドの三次元再現を可能にする。この場合、再生中に聴取者がまさにコンサート場にいる、ほぼコンサートルームにいるように感じることができ、聴取者は最高のサウンドを得るため、部屋の単一位置にいる必要はなく、聴取者は部屋のエリア内で移動することができ、聴取者の位置を変えても、なお三次元サウンドを得ることができる。
【０００７】
本発明の改良点は、従属請求項で明らかにしている。
【０００８】
これに関して、少なくとも6チャンネルを使用した録音技術と、少なくとも六つのラウドスピーカーによる再生技術を応用することは利点であり、二つのラウドスピーカーを、ユーザーの水平聴取平面から、本発明によって提案されるように、特に上方へ物理的に偏倚させて配置する。この場合、上方向にのみ偏倚させることができる補助的な対のラウドスピーカーに、本発明を制限する必要はなく、適切であれば、幾分か下方へ偏倚させることで、室内の周囲環境により、同様なサウンドイメージを生じさせることもできる。
【０００９】
本発明は二つの補助フロントラウドスピーカーを、部屋の壁に向かって約90°の角度で傾かせて配置させることもできる。複数のラウドスピーカーが、本質的に矩形の部屋にあれば、表面の領域の視点から、狭い方の端壁の一方の領域に、複数のラウドスピーカーを備え、補助的な対のラウドスピーカーが、長手方向の壁を方を向いて、それらのサウンドの放出が壁から聴取者に反射して戻る、このタイプのセットアップは、特別な利点がある。
【００１０】
もしそのようなセットアップが不可能であれば、補助ラウドスピーカーを、反射によって作られる仮のセットアップ配置の位置に、配置させることも可能である。最終的に、本発明がそれら二つのラウドスピーカーを、特に上方向だけでなく、二つのフロントラウドスピーカーの側方に、物理的に偏倚させて配置する。
【００１１】
これに関連して、本発明による手順は付加的に増設することが可能であり、従って本発明は、六つのチャンネルだけを使用するのではなく、再現方法に対応させて少なくとも八つのチャンネルを備えることができる。
【００１２】
その方法を実行する設備は、チャンネル再生ユニット、2＋2＋2ラウドスピーカー構成をした制御ユニットを備え、2＋2＋2ラウドスピーカー構成は、特に聴取者の前方の右側と左側に二つのメインラウドスピーカーを、聴取者の後方の右側と左側に二つのラウドスピーカーを、メインラウドスピーカーの上に二つのラウドスピーカーを備え、それらメインラウドスピーカーの上の二つのラウドスピーカーの放射軸線が、前記メインラウドスピーカーに対して外方向へ90°向けて配置される。録音中、既知のステレオ再現に必要な技術に加えて、3Dサウンドを録音し、遠近に対応する補助マイクが使用され、それによってミックス録音が、少なくとも六個のオーディオトラックで行われる。
【００１３】
音声の様々なラウドスピーカーに、単独のマイク信号を配信することによって、サウンドの仮想的なソースを生じさせる。
【００１４】
既に上記で示したように、“DVDオーディオシステム”がこの場合、再現のため使用することができ、CD録音で利用可能な二つのチャンネルだけでなく、むしろ八つのチャンネルを使用できる、数倍の容量空間を備える。この場合、DVDシステムは、複数のオーディオチャンネルに同時に伝送する機会を提供する。この際“ドルビー・サラウンド”方法が5＋1チャンネルを使用する、すなわち一つの音響平面で再現するにも関わらず、六つのチャンネルを使用することは、明らかである。
【００１５】
本発明による方法及び本発明による設備は、サウンドイメージを右から左へ、前から後ろへ、上から下への方向で再現し、このシステムは増設することができるという利点を有している。従来の立体音響効果に加えて、四つ、六つ、またはそれ以上のラウドスピーカーを使用することができ、システムを2＋2＋2＋2システムに増設することができ、すなわちシステムが総計で八つの伝送チャンネルを備えて動作する。
【００１６】
本発明は、サウンドボディの“高域”も再現することは注目に値する。ゆえに一例として、オーケストラが貝の形をした複数のステージ上で段になって座る。底部には、弦楽器があって、その直ぐ後方に木管楽器、そして金管楽器と打楽器があって、合唱隊とオルガンがそれの後ろに配置される。
【００１７】
全体のオルガンは、室内の様々なポイントに配置された種々のオルガンから成り、一例として聴取者の近くに合唱隊とオルガンを、その上または後ろにグレートオルガン、スエルオルガン、ペダルオルガン、そして最後に天井から反響することができる交唱オルガン（antiphonal organ）がある。室内楽でも、どの演奏者が立ち上がっているか、座っているのか聞くことが可能である。
【００１８】
コンサートルームにおける聴取者が、サウンドを発する物から出るサウンドを直接受けるだけでなく、側壁、天井などからの反射も受けて、聴取者が付加的に、現在いる部屋のサイズについての認知を強める。これに関して、本発明は、実際の状態を再現するのに適している。既知のステレオ録音などは、それらの“3Dサウンド”を含むが、それらは単一平面上に戻され、またこの一平面においても再現される。この平面は、ラウドスピーカーベースの後ろで、単一寸法で配置される。
【００１９】
本技術状態における5.1録音方法において、この前記“3D-サウンド”は、単一平面での明瞭度（definition）によって再現される。
【００２０】
本発明による手順により、複数のマイクも別々に配置される。本発明による遠近マイクは、楽器の近くまたは後方に普通の支持マイクとして配置されないで、遠近に対応させるため、大きく距離をあけて、配置され、その場合、本発明による2＋2＋2サウンド録音は、そのマイクの位置からミキサーコンソールで行うことができる。
【００２１】
これに関して本発明は、好ましくは聴取者からの対応するベース幅（ｄ）に関連させるため、二つのメインラウドスピーカーの間の距離を提供する。それは二等辺三角形を、二つのメインラウドスピーカーを各々、理想的な聴取位置に対し30°の角度で作るように、またシンプルなステレオ再現に適切にすることである。二つの頂部ラウドスピーカーは、理想的には耳のレベルの上、すなわち耳とメインラウドスピーカーに対する平面の上のベースの幅の半分の高さにあるべきである。もし聴取エリアにおけるラウドスピーカーからの距離が2mであれば、例えば補助フロントスピーカーが、それら平面の上1mの高さに配置されるべきである。この場合、バックラウドスピーカーを有利には、二つのフロントスピーカーのように、できるだけ聴取者から同じ距離にし、もしこれが達成されれば、短い距離にも適応することができ、少なくなった距離は位置を傾斜させることによって、壁及び／または天井からの反響を補償できる。
【００２２】
この場合、補助ラウドスピーカーは、可能であれば聴取者から部屋の各壁へ向けるべきである。もしこれが不可能であれば、実際の配置を確実にし、補助ラウドスピーカーを配置させ、これの手段は、メインラウドスピーカーに関し両方とも、側方にできれば後方及び垂直に向けて偏倚させる。
【００２３】
（発明を実施するための最良の形態）
本発明の別の特徴及び詳細を、以下の記載と図面を参照して示す。
【００２４】
普通に符号１で示した部屋に、聴取者１ａと、図１及び図２に例示した、六つのラウドスピーカー、すなわち各々聴取者１ａの方を向いた、左側のメインラウドスピーカー２及び右側のメインラウドスピーカー１と、二つのバックラウドスピーカー４及び５と、ラウドスピーカー２及び３の上に配置され且つ、図２に示されているように、メインラウドスピーカー２及び３に対して90°外を向いて配置された、二つの補助ラウドスピーカー６及び７とが配置している。
【００２５】
これは、サウンド再現が図１において点線で示された聴取平面８で示すことができるが、更に基本的に自然のサウンドイメージに対応した三次元サウンド再現が可能である。
【００２６】
部屋１の中を、例えば後方ラウドスピーカーに近い位置から、ラウドスピーカー２、３、６、７に近い別の位置へ移動している、聴取者１ａは、まさに聴取席にいるように、オーケストラまたはオルガンが聴取者の前に広く高く迫るように、知覚している。同時に、この前記聴取者は、常にミュージシャンが録音中にいた場所に配置することができ；オーケストラの中の他のミュージシャンのように、遠く近く、より右にまたは左に、より高いまたはより低い位置になれる。
【００２７】
図３は、複数の録音マイクの可能は配置を示しており、マイク９及び１０は、3Dサウンドを通常は符号１１によって示されたミキサーコンソールへ送る、無指向性マイクを表しており、それらは部屋の天井から吊り下げることができる。
【００２８】
複数のステレオメインマイクロホンは、その一つが示されており、符号１２によって示され、通常はステージの前方のエリアに配置され、そこには例えば、第一位置１３に弦楽器、第二位置１４に木管楽器、更に上の位置１５に金管楽器、位置１６に打楽器、位置１７の後方に合唱隊とできればオルガンを配置することができる。この場合、“遠近マイク”が使用され、その一つだけが示されており、１８ａ〜１８ｃによって図面し示されている。それらのマイクからの上方は、ミキサーコンソールに送られ、そこで処理される。
【００２９】
オーケストラまたは合唱隊などの規模によって、異なるタイプの多数のマイク１１、１２、１８ａ〜１９ｅを、録音のために用いている。
【００３０】
図４はグレートオルガン、例えば教会内のオルガンまたはコンサートルーム内のオーケストラオルガンの場合の録音マイクの可能な位置を示している。符号１９で示されたオルガン演奏者は、そのような楽器に関して通常のキーデスクに座り、オルガンの個々の要素はこの場合、単に象徴的に示されている。
【００３１】
図面は、合唱オルガン２０、チェストオルガン２１、グレートオルガン２２、スエルオルガン２３、２４、及び交唱オルガン２５を示している。またステレオメインマイクは、参照符号１２で示され、この場合遠近マイクは、符号１８ｃ及び１８ｅによって示され、また各場所に一つだけ示しており、それらは単にセットアップの一選択肢である。
【００３２】
図１及び図２は、距離を表している。従ってステレオ録音に関して最高の着席位置は、聴取者１ａとメインラウドスピーカー２及び３によって形成される正三角形の頂点であることが分かり、図２において、この三角形の辺が“ａ、ｂ、ｄ”によって示され、聴取平面８の距離が、図２において“ｏ”で示されている。
【００３３】
図１で明らかなように、補助フロントスピーカー６及び７とメインラウドスピーカー２及び３との間の最高の高さは、それらの間の水平距離の半分、すなわちh=1/2・dであり、この寸法は[欠落]図１に示されている。
【００３４】
一例として、部屋壁を向いた補助トップラウドスピーカー６及び７に関する他の位置は、部屋壁がない位置で、図面２において、６´及び７´によって示されており、バックラウドスピーカー４及び５に関する別のセットアップ配置は、４´及び５´によって示されている。
【００３５】
当然、本発明による記載例の実施例は、基本的な概念の範囲内で、多くの点で変えることもできる。従って、ラウドスピーカー２及び３の位置を、少し下方へ偏倚させることができ、そして聴取位置に対して多少上へ傾けることもできる。また補助ラウドスピーカー６及び７に応用して、セットアップ配置の意図を考慮できるように、それらを任意に垂直平面から前方または後方へ少し偏倚させることもできる。